(57)【要約】【課題】エアフィルタが簡単に掃除できる空気調和機を提供する。【解決手段】室内空気を取り入れる前面グリル（図示せず）と熱交換器（図示せず）との間に配された円盤状のエアフィルタ５と、前記エアフィルタ５を回転駆動する駆動ユニット１４と、前記エアフィルタ５の外周から中心に渡って配置されたガイダー１５と、一側に前記エアフィルタ５に対向して開口した吸い込み部１２ａを備え他端が前記エアフィルタ５の投影面の外で回転自在に支持された吸込みノズル１２と、前記吸い込み部１２ａに連通し塵埃を吸引、捕集する集塵ユニット１３とを備え、前記吸い込みノズル１２の前記吸い込み部１２ａ側端部を前記ガイダー１５に沿って移動させるようにしたもので、エアフィルタ５を回転させながら吸い込みノズル１２を移動させてエアフィルタ５上の塵埃を除去する。【選択図】図２
2005201468.tif 000002
【特許請求の範囲】
【請求項１】
熱交換器とファンを収納する筐体と、吸い込みグリルを有する前面グリルと、前記吸い込みグリルと前記熱交換器との間に配された円盤状のエアフィルタと、前記エアフィルタを回転駆動する回転手段と、前記エアフィルタの外周から中心に渡って配置されたガイダーと、一側に前記エアフィルタに対向して開口した吸い込み部を備え他端が前記エアフィルタの投影面の外で回転自在に支持された吸込みノズルと、前記吸い込み部に連通し塵埃を吸引、捕集する集塵ユニットとを備え、前記吸い込みノズルの前記吸い込み部側端部を前記ガイダーに沿って移動させるようにしたことを特徴とする空気調和機。
【請求項２】
吸い込みノズルの吸い込み部側端部にモータで回転駆動される歯車を設け、ガイダーに前記歯車と噛合うラックギアを形成し、前記歯車を回転させて、前記吸い込みノズルの前記吸い込み部側端部を前記ガイダーに沿って移動させるようにした請求項１記載の空気調和機。
【請求項３】
ガイダーの両端に配された歯車と、前記歯車間に張架されるベルトと、前記歯車の一方を回転駆動するモータを設け、前記ベルトと吸い込みノズルの吸い込み部側端部とを連結し、前記モータを回転させることにより、前記吸い込みノズルの前記吸い込み部側端部を前記ガイダーに沿って移動させるようにした請求項１記載の空気調和機。
【請求項４】
吸い込みグリルから流入する空気をファンに導くエアガイダーと、エアフィルタを回転自在に支持するとともに一側が前記エアガイダーに回動自在に軸支されるトレイと、吸い込みノズルが前記エアフィルタの投影面の外部でかつ前記トレイの一辺と略平行な位置で長手方向を軸として回転できるようにする接続具を設け、前記トレイの回動中心と前記吸い込みノズルの長手方向での回転中心を一致させたことを特徴とする請求項１〜３のいずれか１項記載の空気調和機。
【請求項５】
エアフィルタの半径と同等の長さを有するアームを前記エアフィルタとファンとの間に配設し、前記アームの前記エアフィルタの中心に位置する一端をガイダーと着脱自在とし、他端をトレイに回転自在に支持したことを特徴とする請求項１〜４のいずれか１項記載の空気調和機。
【請求項６】
アームの形状をガイダーの投影面形状とほぼ同一形状とするとともに、前記アームをエアフィルタを間にして前記ガイダーとほぼ同位置に配設したことを特徴とする請求項５記載の空気調和機。
【請求項７】
エアフィルタを集塵用のネットと、前記ネットを補強するとともに前記ネットを片側に設けたフレームで構成し、前記エアフィルタを前記ネット側が吸い込みグリル側になるように配したことを特徴とする請求項１〜６のいずれか１項に記載の空気調和機。
【発明の詳細な説明】
【技術分野】
【０００１】
本発明は、塵埃捕集用のエアフィルタを備えた空気調和機に関するものである。
【背景技術】
【０００２】
従来の空気調和機について、図８を用いて説明する。
【０００３】
図８は、天井埋込型の空気調和機の断面図で、その外郭は、筐体７と、前面グリル１からなり、ファンモータ１１で回転駆動されるファン１０が内蔵されている。ファン１０が回転する事により、室内の空気は、前面グリル１に設けた吸い込みグリル６から流入し、エアフィルタ５で空気に含まれる塵埃が捕集され、エアガイダー４を通過し、熱交換器９に送られ、熱交換器９で熱交換された空気は、吹き出し口１９に至り、最終的に風向変更羽根２の傾き方向に吹き出されるようになっている。３は熱交換器９で発生する凝縮水を受けるドレンパンで、８は筐体７の内壁に設けられた断熱材である。
【０００４】
以上のように、吸入された空気に含まれる塵埃が空気調和機内部に入り込むのを防止するためにエアフィルタ５を設け、このエアフィルタ５は付着した塵埃を定期的に清掃する時の便宜を図るため自在に着脱できるように構成されている。
【０００５】
また、他の従来例として、エアフィルタの清掃を容易にするために、エアフィルタ上に回転ブラシを備え、その回転ブラシをエアフィルタ上で移動し塵埃を捕集するものがある（特許文献１参照）。又、ベルト状のエアフィルタが回転し、ブラシでエアフィルタ上に堆積した塵埃を掻き落とすようにしたものがある（例えば、特許文献１、２参照）。
【特許文献１】特開平１１−２２６３３１号公報
【特許文献２】特開平６−７４５２１号公報
【発明の開示】
【発明が解決しようとする課題】
【０００６】
しかしながら、従来の空気調和機のエアフィルタは、空気調和機の使用頻度に応じて空気調和機よりエアフィルタを取り外し、水洗いもしくは掃除機などで付着した塵埃を掃除するという定期的なメンテナンスを必要としていた。特に天井に埋め込まれたタイプにおいては、エアフィルタのメンテ作業に非常に多くの手間と労力を必要とするものであった。また、定期的にメンテナンスが行なわれなかった場合、エアフィルタに塵埃が堆積し吸込み空気の通気抵抗が増大するため空気調和機の性能が低下するとともに、消費電力が増大するという課題があった。
【０００７】
また、エアフィルタ上に設けた回転ブラシを移動させて塵埃を捕集するものや、ベルト状のフィルタを備えたものは、構成が複雑になり、又、塵埃を吸引する吸引装置が大型になるという課題を有していた。
【０００８】
本発明は、前記従来の課題を解決するもので、簡単な構成で、しかもエアフィルタからの塵埃除去が容易な空気調和機を提供する事を目的とする。
【課題を解決するための手段】
【０００９】
上記従来の課題を解決するために、本発明の空気調和機は、熱交換器とファンを収納する筐体と、吸い込みグリルを有する前面グリルと、前記吸い込みグリルと前記熱交換器との間に配された円盤状のエアフィルタと、前記エアフィルタを回転駆動する回転手段と、前記エアフィルタの外周から中心に渡って配置されたガイダーと、一側に前記エアフィル
タに対向して開口した吸い込み部を備え他端が前記エアフィルタの投影面の外で回転自在に支持された吸込みノズルと、前記吸い込み部に連通し塵埃を吸引、捕集する集塵ユニットとを備え、前記吸い込みノズルの前記吸い込み部側端部を前記ガイダーに沿って移動させるようにしたもので、回転手段でエアフィルタを回転させながら吸い込みノズルを移動させる事によりエアフィルタに付着した塵埃が簡単に集塵ユニットにより除去されるものである。
【発明の効果】
【００１０】
本発明の空気調和機によれば、エアフィルタに付着した塵埃を簡単な構成で手間を要せず除去することが出来る。
【発明を実施するための最良の形態】
【００１１】
第１の発明は、熱交換器とファンを収納する筐体と、吸い込みグリルを有する前面グリルと、前記吸い込みグリルと前記熱交換器との間に配された円盤状のエアフィルタと、前記エアフィルタを回転駆動する回転手段と、前記エアフィルタの外周から中心に渡って配置されたガイダーと、一側に前記エアフィルタに対向して開口した吸い込み部を備え他端が前記エアフィルタの投影面の外で回転自在に支持された吸込みノズルと、前記吸い込み部に連通し塵埃を吸引、捕集する集塵ユニットとを備え、前記吸い込みノズルの前記吸い込み部側端部を前記ガイダーに沿って移動させるようにしたもので、回転手段でエアフィルタを回転させながら吸い込みノズルを移動させる事によりエアフィルタに付着した塵埃が簡単に集塵ユニットにより除去されるものである。
【００１２】
第２の発明は、第１の発明の吸い込みノズルの吸い込み部側端部にモータで回転駆動される歯車を設け、ガイダーに前記歯車と噛合うラックギアを形成し、前記歯車を回転させて、前記吸い込みノズルの前記吸い込み部側端部を前記ガイダーに沿って移動させるようにしたもので、吸い込みノズルの移動をモータの駆動で行なうので、操作、制御が容易でしかも確実にエアフィルタに付着した塵埃を除去することができる。
【００１３】
第３の発明は、第１の発明のガイダーの両端に配された歯車と、前記歯車間に張架されるベルトと、前記歯車の一方を回転駆動するモータを設け、前記ベルトと吸い込みノズルの吸い込み部側端部とを連結し、前記モータを回転させることにより、前記吸い込みノズルの前記吸い込み部側端部を前記ガイダーに沿って移動させるようにしたもので、吸い込みノズルの移動をモータの駆動にて簡単にかつ正確に行うことが出来ると共に、吸い込みノズルの厚みを小さくすることが出来る。
【００１４】
第４の発明は、第１〜３のいずれか１つの発明の吸い込みグリルから流入する空気をファンに導くエアガイダーと、エアフィルタを回転自在に支持するとともに一側が前記エアガイダーに回動自在に軸支されるトレイと、吸い込みノズルが前記エアフィルタの投影面の外部でかつ前記トレイの一辺と略平行な位置で長手方向を軸として回転できるようにする接続具を設け、前記トレイの回動中心と前記吸い込みノズルの長手方向での回転中心を一致させたもので、トレイを回動させたとき、吸い込みノズルと集塵ユニットとを接続する接続具が移動することなく単に回転するだけになり、接続具をフレキシブルな材質で成型したり、形成したりする必要が無く、接続部の信頼性が向上するものである。
【００１５】
第５の発明は、第１〜４のいずれか１つの発明のエアフィルタの半径と同等の長さを有するアームを前記エアフィルタとファンとの間に配設し、前記アームの前記エアフィルタの中心に位置する一端をガイダーと着脱自在とし、他端をトレイに回転自在に支持したもので、アームでガイダーを支えることにより、エアフィルタと吸い込みノズルの吸い込み部の隙間を一定に保つことが出来、吸い込みノズルの吸引効率を安定させることが出来る。また先端をガイダーから外し、他端を中心に回転させることにより、エアフィルタを簡
単に着脱することができる。
【００１６】
第６の発明は、第５の発明のアームの形状をガイダーの投影面形状とほぼ同一形状とするとともに、前記アームをエアフィルタを間にして前記ガイダーとほぼ同位置に配設したもので、ファンにて空気が吸い込まれるとき、アームとガイダーが重なった状態にあり、アームとガイダーが別々の位置に設ける場合に比べ通風抵抗を減らすことができる。
【００１７】
第７の発明は、第１〜６のいずれか１つの発明のエアフィルタを集塵用のネットと、前記ネットを補強するとともに前記ネットを片側に設けたフレームで構成し、前記エアフィルタを前記ネット側が吸い込みグリル側になるように配したもので、ネット面が全域に渡ってフラットであり吸い込みノズルがエアフィルタ上を走査するとき吸い込みノズルの吸い込み部とネットとの間隔を限りなく小さくできるので、集塵効率がよく、また安定させることができる。
【００１８】
以下、本発明の実施の形態について、図面を参照しながら説明する。なお、本実施の形態によって本発明が限定されるものではない。
【００１９】
（実施の形態１）
図１は、本発明の第１の実施の形態における空気調和機の断面図、図２は、同空気調和機の展開斜視図、図３は、同空気調和機の要部平面図、図４は、同空気調和機の要部断面図である。なお、従来例と同一部分については、同一符号を付してその説明を省略する。
【００２０】
空気調和機に流入する空気に含まれる塵埃を捕集するエアフィルタ５は円盤状に形成される共に、トレイ１６上にあり、エアフィルタ５のフレーム５ｃの外周部に歯車５ａが形成され、トレイ１６に形成されたガイダー１５の回転軸１５ｂを中心として、回転手段である駆動ユニット１４の歯車１４ａにて回転する構造となっている。
【００２１】
１２は、吸い込みノズルで、一端に箱形でスリット状の吸込み部１２ａを備え、エアフィルタ５の前面側に対峙するよう配置され、集塵ユニット１３と接続される他端は開放されており、パイプ状でＬ字型の接続具１８に回転自在に嵌めこまれている。スリット状の吸い込み部１２ａは吸い込みノズル１２の長手方向に対してほぼ直角方向に開口している。
【００２２】
吸い込みノズル１２の先端には、回転自在に歯車２１が配設され、その歯車２１にはモータ２０が接続されている。
【００２３】
ガイダー１５は、エアフィルタ５の吸い込みグリル６側でエアフィルタ５の中心とエアフィルタ５の外周を結ぶ位置に配設され、吸い込みノズル１２が接続具１８を中心として回転したとき歯車２１が描く円と同心円の円弧形状となっている。ガイダー１５は、エアフィルタ５の外周に相当する位置でトレイ１６に固定されており、他端はエアフィルタ５を保持しエアフィルタ５の回転中心となる回転軸１５ｂを有している。また、ガイダー１５の円弧状の側壁の内側には歯車２１と同じモジュールを持ち、ピッチ円を共有するラックギア１５ａを有している。
【００２４】
集塵ユニット１３には、塵埃を吸引するための吸引ファン（図示せず）と、吸引した塵埃を捕集するためのユニット（図示せず）を備え、吸引ファンを動作させることにより、エアフィルタ５に付着した塵埃は吸い込みノズル１２の吸い込み部１２ａから吸引され、接続具１８を通過し、集塵ユニット１３に至る。
【００２５】
吸引指示によって、エアフィルタ５は、駆動ユニット１４にて回転し、吸い込みノズル
１２の吸い込み部１２ａに相対するエアフィルタ５のネット５ｂに付着した塵埃が、同吸い込み部１２ａより吸引される。
【００２６】
エアフィルタ５が一回転すると、吸い込みノズル１２は、モータ２０が回転することにより歯車２１が回転しラックギア１５ａ上を移動することにより、接続具１８を回転中心とし吸い込み部１２ａの長手方向の幅に相当する距離だけ移動し、吸い込み部１２ａに相対するエアフィルタ５に付着した塵埃を吸引する。この動作をエアフィルタ５が一回転する毎に繰り返し、エアフィルタ５の半径にほぼ相当する距離を吸い込み部１２ａの長手方向の幅で除した回数分繰り返すことによりエアフィルタ５の全面の塵埃を吸引することができる。
【００２７】
（実施の形態２）
図５は、本発明の第２の実施の形態における空気調和機の要部平面図、図６は、同空気調和機の要部断面図、図７（ａ）は、同空気調和機の要部断面図、図７（ｂ）は、同空気調和機の部分断面図である。なお、上記実施の形態と同一部分については、同一符号を付してその説明を省略する。
【００２８】
本実施の形態は、図に示すように、ガイダー１５の両端に歯車２１を回転自在に配置し、この二つの歯車２１にベルト２２を架けると共に、ベルト２２と吸い込みノズル１２の先端を固定するもので、一方の歯車２１をモータ２０で回転することによりベルト２２を駆動し、ベルト２２に固定された吸い込みノズル１２を移動させるようにしたものである。
【００２９】
本実施の形態と上記第１の実施の形態とは、吸い込みノズル１２の移動方法が異なるだけで前記と同様に塵埃を吸引することができる。本実施の形態によれば、モータ２０をエアフィルタ５の投影面の外に配置することができるので、筐体７の厚みを薄くすることが可能となるものである。
【００３０】
次に、図１．２、７に示すように、エアフィルタ５は、ガイダ−１５の先端の回転軸１５ｂに回転自在に取り付けられ、接続具１５ｃにてアーム１７と締結されている。また、トレイ１６には回転軸１６ａが設けられ、その回転軸１６ａはエアガイダー４に設けたフック４ａに回転自在に接続されている。吸い込みノズル１２は接続具１８と回転自在に接続されており、その回転中心は吸い込みノズル１２がエアフィルタ５の投影面の外部でしかもトレイ１６と略平行になった時、トレイ１６の回転軸１６ａを支点として回転するときの回転中心と一致する位置に配設されている。
【００３１】
この事により、エアフィルタ５は、トレイ１６を回転し、接続具１５ｃを外し、アーム１７をアーム１７の回転軸１７ａを回転中心として開くことにより、吸い込みノズル１２、ガイダー１５、トレイ１６を筐体７より取り外すことなくエアフィルタ５を着脱することが出来る。
【００３２】
また、図１、２に示すようにエアフィルタ５は、フレーム５ｃとそのフレーム５ｃの片側に形成されたネット５ｂから構成されている。そしてネット５ｂ側を前面グリル１側になるように、エアフィルタ５を配置することにより、吸い込みノズル１２の吸い込み部１２ａをネット５ｂに限りなく近づけることが可能となる。逆に、フレーム５ｃ側を前面グリル１側にすると、吸い込み部１２ａとネット５ｂの距離は少なくとも、フレーム５ｃの厚み分だけ開くことになり塵埃の吸引効率を下げることとなる。
【産業上の利用可能性】
【００３３】
本発明の空気調和機は、簡単な構成でエアフィルタに付着した塵埃を効率よく容易に取
り除くことが出来、空気調和機の性能低下防止にも寄与でき、エアフィルタを有する空気調和機、空気清浄機、集塵機等の用途にも適用できる。
【図面の簡単な説明】
【００３４】
【図１】本発明の実施の形態1における空気調和機の断面図
【図２】同空気調和機の展開斜視図
【図３】同空気調和機の要部平面図
【図４】同空気調和機の要部断面図
【図５】本発明の実施の形態２における空気調和機の要部平面図
【図６】同空気調和機の要部断面図
【図７】（ａ）同空気調和機の要部断面図、（ｂ）同空気調和機の部分断面図
【図８】従来の空気調和機の断面図
【符号の説明】
【００３５】
１    前面グリル
４    エアガイダー
５    エアフィルタ
６    吸い込みグリル
７    筐体
９    熱交換器
１０    ファン
１２    吸い込みノズル
１２ａ  吸い込み部
１３    集塵ユニット
１４    駆動ユニット（回転手段）
１５    ガイダー
１６    トレイ
１６ａ  回転軸
１７    アーム
１７ａ  回転軸
１８    接続具
【図１】
2005201468.tif 000003
【図２】
2005201468.tif 000004
【図３】
2005201468.tif 000005
【図４】
2005201468.tif 000006
【図５】
2005201468.tif 000007
【図６】
2005201468.tif 000008
【図７】
2005201468.tif 000009
【図８】
2005201468.tif 000010